(57)【要約】【課題】原稿の搬送路と記録紙の搬送路とが共通する共通搬送路上で読取手段と記録手段の可動空間を共有させることで、装置の小型化を図る際、読取手段および記録手段を衝突させることなく保護できる読取記録装置を提供する。【解決手段】複合通信装置は、原稿の搬送路と記録紙の搬送路が共通する共通搬送路を有し、共通搬送路上で、プラテン３上の読取位置と読取待機位置とに回動自在な読取ユニットの可動空間と、プラテン３上を主走査方向に移動自在な記録ユニットの可動空間とを共有させる。読取動作では、読取ユニットを読取位置に配置し、ＣＳ２２により共通搬送路上を通過する原稿の画像を読み取る。ＣＳ２２による画像読取終了後、読取ユニットを読取位置から読取待機位置に退避させる（Ｓ１５）。【選択図】      図９
2004208063.tif 000002
【特許請求の範囲】
【請求項１】
原稿の搬送路と記録媒体の搬送路とが共通する共通搬送路上で原稿の読み取りおよび記録媒体への記録を行う読取記録装置において、
前記原稿を前記共通搬送路上の読取位置に搬送する原稿搬送手段と、
前記読取位置と該読取位置から退避した読取待機位置とに移動自在であり、前記読取位置で前記原稿を読み取る読取手段と、
前記記録媒体を前記共通搬送路上の記録位置に搬送する記録媒体搬送手段と、
前記読取手段と前記共通搬送路上の可動空間を共有し、前記記録位置と該記録位置から退避した記録待機位置とに移動自在であり、前記記録位置で前記記録媒体に画像を記録する記録手段と、
前記原稿の読取終了後、前記読取手段を前記読取位置から前記読取待機位置に退避させる制御手段とを備えたことを特徴とする読取記録装置。
【請求項２】
原稿の搬送路と記録媒体の搬送路とが共通する共通搬送路上で原稿の読み取りおよび記録媒体への記録を行う読取記録装置において、
前記原稿を前記共通搬送路上の読取位置に搬送する原稿搬送手段と、
前記読取位置と該読取位置から退避した読取待機位置とに移動自在であり、前記読取位置で前記原稿を読み取る読取手段と、
前記記録媒体を前記共通搬送路上の記録位置に搬送する記録媒体搬送手段と、
前記読取手段と前記共通搬送路上の可動空間を共有し、前記記録位置と該記録位置から退避した記録待機位置とに移動自在であり、前記記録位置で前記記録媒体に画像を記録する記録手段と、
記録動作開始前、前記読取手段を前記読取位置から前記読取待機位置に退避させる制御手段とを備えたことを特徴とする読取記録装置。
【請求項３】
原稿の搬送路と記録媒体の搬送路とが共通する共通搬送路上で原稿の読み取りおよび記録媒体への記録を行う読取記録装置において、
前記原稿を前記共通搬送路上の読取位置に搬送する原稿搬送手段と、
前記読取位置と該読取位置から退避した読取待機位置とに移動自在であり、前記読取位置で前記原稿を読み取る読取手段と、
前記記録媒体を前記共通搬送路上の記録位置に搬送する記録媒体搬送手段と、
前記読取手段と前記共通搬送路上の可動空間を共有し、前記記録位置と該記録位置から退避した記録待機位置とに移動自在であり、前記記録位置で前記記録媒体に画像を記録する記録手段と、
読取動作後に記録動作が連続して行われる場合、読取終了後かつ記録開始前に１回だけ前記読取手段を前記読取位置から前記読取待機位置に退避させる制御手段とを備えたことを特徴とする読取記録装置。
【請求項４】
原稿の搬送路と記録媒体の搬送路とが共通する共通搬送路上で原稿の読み取りおよび記録媒体への記録を行う読取記録装置において、
前記原稿を前記共通搬送路上の読取位置に搬送する原稿搬送手段と、
前記読取位置と該読取位置から退避した読取待機位置とに移動自在であり、前記読取位置で前記原稿を読み取る読取手段と、
前記記録媒体を前記共通搬送路上の記録位置に搬送する記録媒体搬送手段と、
前記読取手段と前記共通搬送路上の可動空間を共有し、前記記録位置と該記録位置から退避した記録待機位置とに移動自在であり、前記記録位置で前記記録媒体に画像を記録する記録手段と、
前記原稿の読取終了後、前記読取手段を前記読取位置から前記読取待機位置に退避させる第１制御手段と
記録動作開始前、前記読取手段を前記読取位置から前記読取待機位置に退避させる第２制御手段とを備え、
読取動作後に記録動作が連続して行われる場合、読取終了後かつ記録開始前に前記第１制御手段または前記第２制御手段のいずれか一方により前記読取手段を前記読取位置から前記読取待機位置に退避させることを特徴とする読取記録装置。
【請求項５】
前記読取手段は、主走査方向の回動軸を中心に前記読取位置と前記読取待機位置とに回動自在であり、前記共通搬送路に近接した前記読取位置で前記共通搬送路を通過する原稿を読み取り、前記共通搬送路から離間した前記読取待機位置に退避することを特徴とする請求項１乃至４のいずれかに記載の読取記録装置。
【請求項６】
前記記録手段は、主走査方向に移動自在であり、前記読取動作中、前記共通搬送路上の読取位置から退避した読取待機位置に留まることを特徴とする請求項１乃至４のいずれかに記載の読取記録装置。
【請求項７】
原稿の搬送路と記録媒体の搬送路とが共通する共通搬送路上で原稿の読み取りおよび記録媒体への記録を行う読取記録制御方法において、
前記原稿を前記共通搬送路上の読取位置に搬送する原稿搬送ステップと、
前記読取位置と該読取位置から退避した読取待機位置とに移動自在な読取手段によって前記読取位置で前記原稿を読み取る読取ステップと、
前記記録媒体を前記共通搬送路上の記録位置に搬送する記録媒体搬送ステップと、
前記読取手段と前記共通搬送路上の可動空間を共有し、前記記録位置と該記録位置から退避した記録待機位置とに移動自在な記録手段によって前記記録位置で前記記録媒体に画像を記録する記録ステップと、
前記原稿の読取終了後、前記読取手段を前記読取位置から前記読取待機位置に退避させる制御ステップとを有することを特徴とする読取記録制御方法。
【請求項８】
原稿の搬送路と記録媒体の搬送路とが共通する共通搬送路上で原稿の読み取りおよび記録媒体への記録を行う読取記録制御方法において、
前記原稿を前記共通搬送路上の読取位置に搬送する原稿搬送ステップと、
前記読取位置と該読取位置から退避した読取待機位置とに移動自在な読取手段によって前記読取位置で前記原稿を読み取る読取ステップと、
前記記録媒体を前記共通搬送路上の記録位置に搬送する記録媒体搬送ステップと、
前記読取手段と前記共通搬送路上の可動空間を共有し、前記記録位置と該記録位置から退避した記録待機位置とに移動自在な記録手段によって前記記録位置で前記記録媒体に画像を記録する記録ステップと、
記録動作開始前、前記読取手段を前記読取位置から前記読取待機位置に退避させる制御ステップとを有することを特徴とする読取記録制御方法。
【請求項９】
原稿の搬送路と記録媒体の搬送路とが共通する共通搬送路上で原稿の読み取りおよび記録媒体への記録を行う読取記録制御方法において、
前記原稿を前記共通搬送路上の読取位置に搬送する原稿搬送ステップと、
前記読取位置と該読取位置から退避した読取待機位置とに移動自在な読取手段によって前記読取位置で前記原稿を読み取る読取ステップと、
前記記録媒体を前記共通搬送路上の記録位置に搬送する記録媒体搬送ステップと、
前記読取手段と前記共通搬送路上の可動空間を共有し、前記記録位置と該記録位置から退避した記録待機位置とに移動自在な記録手段によって前記記録位置で前記記録媒体に画像を記録する記録ステップと、
読取動作後に記録動作が連続して行われる場合、読取終了後かつ記録開始前に１回だけ前記読取手段を前記読取位置から前記読取待機位置に退避させる制御ステップとを有することを特徴とする読取記録制御方法。
【請求項１０】
原稿の搬送路と記録媒体の搬送路とが共通する共通搬送路上で原稿の読み取りおよび記録媒体への記録を行う読取記録制御方法において、
前記原稿を前記共通搬送路上の読取位置に搬送する原稿搬送ステップと、
前記読取位置と該読取位置から退避した読取待機位置とに移動自在な読取手段によって前記読取位置で前記原稿を読み取る読取ステップと、
前記記録媒体を前記共通搬送路上の記録位置に搬送する記録媒体搬送ステップと、
前記読取手段と前記共通搬送路上の可動空間を共有し、前記記録位置と該記録位置から退避した記録待機位置とに移動自在な記録手段によって前記記録位置で前記記録媒体に画像を記録する記録ステップと、
前記原稿の読取終了後、前記読取手段を前記読取位置から前記読取待機位置に退避させる第１制御ステップと、
記録動作開始前、前記読取手段を前記読取位置から前記読取待機位置に退避させる第２制御ステップと、
読取動作後に記録動作が連続して行われる場合、読取終了後かつ記録開始前に前記第１制御ステップまたは前記第２制御ステップのいずれか一方により前記読取手段を前記読取位置から前記読取待機位置に退避させる制御ステップとを有することを特徴とする読取記録制御方法。
【請求項１１】
請求項７乃至１０のいずれかに記載の読取記録制御方法を実現するためのコンピュータ読み取り可能なプログラム。
【発明の詳細な説明】
【０００１】
【発明の属する技術分野】
本発明は、読取記録装置、読取記録制御方法およびプログラムに関する。
【０００２】
【従来の技術】
近年、端末装置の省スペース化に伴い、情報端末装置にも小型化が求められている。特に、家庭向けのファクシミリ装置等の読取記録装置では、読取動作と記録動作を行う紙搬送機構が完全に分離されているので、送信時に読取ユニットが原稿を読み取る空間と、受信時に記録ユニットが記録動作を行う空間とが別個になっていた。
【０００３】
図１５は従来の読取記録装置の構成を示す断面図である。この読取記録装置では、記録紙３０１は記録紙保持部材３０３に載置されており、記録紙給紙ローラ３０４および分離機構により１枚ずつ給紙される。給紙された記録紙は、給送ローラ３０５によって印字部３０６に搬送され、インクジェットカートリッジ等の記録部により記録紙上に画像が形成されつつ、排紙ローラ３０７により装置外に排出される（図中、矢印Ｂ方向）。
【０００４】
一方、原稿３０２は、原稿保持部材３０８に載置されており、原稿分離ローラ３０９と分離片３１３とから形成されるくさび形状の突き当て部にセットされる。画像読取命令によって原稿分離ローラ３０９が回転すると、突き当て部に滞留した原稿のうち、原稿分離ローラ３０９と接する原稿だけが摩擦によって分離して搬送される。
【０００５】
分離・搬送された原稿３０２は、原稿給送ローラ３１０、排紙ローラ３１２および各対向コロによって挟持されつつ搬送され、コンタクトイメージセンサ３１１により画像情報が読み取られながら、排紙ローラ３１２によって装置外に排出される（図中、矢印Ａ方向）。
【０００６】
ところで、複写機やファクシミリ装置などの読取記録装置では、市場の要望として、利便性を向上させるためのさまざまな工夫や改良が施されているが、その１つとして、装置の小型化が挙げられる。空間を有効に利用したいと考えるユーザにとっては、装置のサイズが購入する際の重要な選択項目となる。
【０００７】
【発明が解決しようとする課題】
しかしながら、上記従来の読取記録装置では、読取動作と記録動作を行う紙搬送機構が完全に分離されている、つまり、送信時に読取ユニットが原稿を読み取る空間と受信時に記録ユニットが記録動作を行う空間とが別個になっていたので、これらの物理的な空間を別々に確保する必要があり、装置の小型化が難しかった。
【０００８】
これに対し、原稿の搬送路と記録紙の搬送路とを共通にした読取記録１パス機構を採用することによって、小型化を図ったものが知られている。具体的に、記録紙の搬送に用いられる搬送機構を原稿の搬送機構に兼用させることで、原稿搬送に用いられる給送ローラ、排紙ローラ、原稿駆動用モータ、原稿検知センサ等が削減されることになる。しかし、記録ユニットを移動させながら記録するインクジェット方式の読取記録装置の場合、読取ユニットおよび記録ユニットを異なる空間で駆動させなければならず、小型化の点で不十分であった。
【０００９】
そして、さらなる読取記録装置の小型化を図るために、読取ユニットを共通搬送路上の読取位置とこの読取位置から退避した読取待機位置とに移動自在なものとし、主走査方向に移動する記録ユニットと読取ユニットの可動空間を共有させることも検討されるが、単純に読取ユニットと記録ユニットの可動空間を共有させると、読取動作と記録動作が同時に発生した場合、読取ユニットと記録ユニットが衝突してしまい、場合によっては、破損してしまうことになる。
【００１０】
例えば、読取動作を行う際、読取ユニットは共通搬送路上の読取位置に配置されるが、このとき、搬送媒体検知センサが共通搬送路上の搬送媒体を検知すると、読取動作であるにもかかわらず、記録紙を検知したものと誤って、記録動作が開始されてしまうおそれがあった。また、記録動作時、読取ユニットが共通搬送路上に配置されたままだと、記録紙ジャムが発生するおそれがあった。
【００１１】
そこで、本発明は、原稿の搬送路と記録紙の搬送路とが共通する共通搬送路上で読取手段と記録手段の可動空間を共有させることで、装置の小型化を図る際、読取手段および記録手段を衝突させることなく保護できる読取記録装置、読取記録制御方法およびプログラムを提供することを目的とする。
【００１２】
【課題を解決するための手段】
上記目的を達成するために、本発明の読取記録装置は、原稿の搬送路と記録媒体の搬送路とが共通する共通搬送路上で原稿の読み取りおよび記録媒体への記録を行う読取記録装置において、前記原稿を前記共通搬送路上の読取位置に搬送する原稿搬送手段と、前記読取位置と該読取位置から退避した読取待機位置とに移動自在であり、前記読取位置で前記原稿を読み取る読取手段と、前記記録媒体を前記共通搬送路上の記録位置に搬送する記録媒体搬送手段と、前記読取手段と前記共通搬送路上の可動空間を共有し、前記記録位置と該記録位置から退避した記録待機位置とに移動自在であり、前記記録位置で前記記録媒体に画像を記録する記録手段と、前記原稿の読取終了後、前記読取手段を前記読取位置から前記読取待機位置に退避させる制御手段とを備える。
【００１３】
また、本発明の読取記録装置は、原稿の搬送路と記録媒体の搬送路とが共通する共通搬送路上で原稿の読み取りおよび記録媒体への記録を行う読取記録装置において、前記原稿を前記共通搬送路上の読取位置に搬送する原稿搬送手段と、前記読取位置と該読取位置から退避した読取待機位置とに移動自在であり、前記読取位置で前記原稿を読み取る読取手段と、前記記録媒体を前記共通搬送路上の記録位置に搬送する記録媒体搬送手段と、前記読取手段と前記共通搬送路上の可動空間を共有し、前記記録位置と該記録位置から退避した記録待機位置とに移動自在であり、前記記録位置で前記記録媒体に画像を記録する記録手段と、記録動作開始前、前記読取手段を前記読取位置から前記読取待機位置に退避させる制御手段とを備える。
【００１４】
さらに、本発明の読取記録装置は、原稿の搬送路と記録媒体の搬送路とが共通する共通搬送路上で原稿の読み取りおよび記録媒体への記録を行う読取記録装置において、前記原稿を前記共通搬送路上の読取位置に搬送する原稿搬送手段と、前記読取位置と該読取位置から退避した読取待機位置とに移動自在であり、前記読取位置で前記原稿を読み取る読取手段と、前記記録媒体を前記共通搬送路上の記録位置に搬送する記録媒体搬送手段と、前記読取手段と前記共通搬送路上の可動空間を共有し、前記記録位置と該記録位置から退避した記録待機位置とに移動自在であり、前記記録位置で前記記録媒体に画像を記録する記録手段と、読取動作後に記録動作が連続して行われる場合、読取終了後かつ記録開始前に１回だけ前記読取手段を前記読取位置から前記読取待機位置に退避させる制御手段とを備える。
【００１５】
本発明の読取記録装置は、原稿の搬送路と記録媒体の搬送路とが共通する共通搬送路上で原稿の読み取りおよび記録媒体への記録を行う読取記録装置において、前記原稿を前記共通搬送路上の読取位置に搬送する原稿搬送手段と、前記読取位置と該読取位置から退避した読取待機位置とに移動自在であり、前記読取位置で前記原稿を読み取る読取手段と、前記記録媒体を前記共通搬送路上の記録位置に搬送する記録媒体搬送手段と、前記読取手段と前記共通搬送路上の可動空間を共有し、前記記録位置と該記録位置から退避した記録待機位置とに移動自在であり、前記記録位置で前記記録媒体に画像を記録する記録手段と、前記原稿の読取終了後、前記読取手段を前記読取位置から前記読取待機位置に退避させる第１制御手段と、記録動作開始前、前記読取手段を前記読取位置から前記読取待機位置に退避させる第２制御手段とを備え、読取動作後に記録動作が連続して行われる場合、読取終了後かつ記録開始前に前記第１制御手段または前記第２制御手段のいずれか一方により前記読取手段を前記読取位置から前記読取待機位置に退避させる。
【００１６】
本発明の読取記録制御方法は、原稿の搬送路と記録媒体の搬送路とが共通する共通搬送路上で原稿の読み取りおよび記録媒体への記録を行う読取記録制御方法において、前記原稿を前記共通搬送路上の読取位置に搬送する原稿搬送ステップと、前記読取位置と該読取位置から退避した読取待機位置とに移動自在な読取手段によって前記読取位置で前記原稿を読み取る読取ステップと、前記記録媒体を前記共通搬送路上の記録位置に搬送する記録媒体搬送ステップと、前記読取手段と前記共通搬送路上の可動空間を共有し、前記記録位置と該記録位置から退避した記録待機位置とに移動自在な記録手段によって前記記録位置で前記記録媒体に画像を記録する記録ステップと、前記原稿の読取終了後、前記読取手段を前記読取位置から前記読取待機位置に退避させる制御ステップとを有する。
【００１７】
本発明の読取記録制御方法は、原稿の搬送路と記録媒体の搬送路とが共通する共通搬送路上で原稿の読み取りおよび記録媒体への記録を行う読取記録制御方法において、前記原稿を前記共通搬送路上の読取位置に搬送する原稿搬送ステップと、前記読取位置と該読取位置から退避した読取待機位置とに移動自在な読取手段によって前記読取位置で前記原稿を読み取る読取ステップと、前記記録媒体を前記共通搬送路上の記録位置に搬送する記録媒体搬送ステップと、前記読取手段と前記共通搬送路上の可動空間を共有し、前記記録位置と該記録位置から退避した記録待機位置とに移動自在な記録手段によって前記記録位置で前記記録媒体に画像を記録する記録ステップと、記録動作開始前、前記読取手段を前記読取位置から前記読取待機位置に退避させる制御ステップとを有する。
【００１８】
本発明の読取記録制御方法は、原稿の搬送路と記録媒体の搬送路とが共通する共通搬送路上で原稿の読み取りおよび記録媒体への記録を行う読取記録制御方法において、前記原稿を前記共通搬送路上の読取位置に搬送する原稿搬送ステップと、前記読取位置と該読取位置から退避した読取待機位置とに移動自在な読取手段によって前記読取位置で前記原稿を読み取る読取ステップと、前記記録媒体を前記共通搬送路上の記録位置に搬送する記録媒体搬送ステップと、前記読取手段と前記共通搬送路上の可動空間を共有し、前記記録位置と該記録位置から退避した記録待機位置とに移動自在な記録手段によって前記記録位置で前記記録媒体に画像を記録する記録ステップと、読取動作後に記録動作が連続して行われる場合、読取終了後かつ記録開始前に１回だけ前記読取手段を前記読取位置から前記読取待機位置に退避させる制御ステップとを有する。
【００１９】
本発明の読取記録制御方法は、原稿の搬送路と記録媒体の搬送路とが共通する共通搬送路上で原稿の読み取りおよび記録媒体への記録を行う読取記録制御方法において、前記原稿を前記共通搬送路上の読取位置に搬送する原稿搬送ステップと、前記読取位置と該読取位置から退避した読取待機位置とに移動自在な読取手段によって前記読取位置で前記原稿を読み取る読取ステップと、前記記録媒体を前記共通搬送路上の記録位置に搬送する記録媒体搬送ステップと、前記読取手段と前記共通搬送路上の可動空間を共有し、前記記録位置と該記録位置から退避した記録待機位置とに移動自在な記録手段によって前記記録位置で前記記録媒体に画像を記録する記録ステップと、前記原稿の読取終了後、前記読取手段を前記読取位置から前記読取待機位置に退避させる第１制御ステップと、記録動作開始前、前記読取手段を前記読取位置から前記読取待機位置に退避させる第２制御ステップと、読取動作後に記録動作が連続して行われる場合、読取終了後かつ記録開始前に前記第１制御ステップまたは前記第２制御ステップのいずれか一方により前記読取手段を前記読取位置から前記読取待機位置に退避させる制御ステップとを有する。
【００２０】
【発明の実施の形態】
本発明の読取記録装置、読取記録制御方法およびプログラムの実施の形態について図面を参照しながら説明する。本実施形態の読取記録装置は、ファクシミリ通信機能および複写機能を有する複合通信装置に適用される。図１は実施の形態における複合通信装置の外観を示す図である。この複合通信装置は、筐体１２０を有し、その前面には排出口１２７が設けられ、その背面には原稿トレイ１１が設けられている。また、筐体１２０の上面には、ハンドセット１２１、表示器１２２、操作部１０６、原稿排紙ボタン（排紙キー）１２５等が設けられている。
【００２１】
表示器１２２は複合通信装置の状態や電話番号などを表示するものである。操作部１０６は複数のキーからなり、電話番号や各種設定情報を入力したり、動作を指示する。原稿排紙ボタン１２５は原稿や記録紙を排出するために押下されるものである。
【００２２】
図２は複合通信装置の筐体内部の構造を示す斜視図である。図２では、記録紙および原稿がセットされておらず、読取ユニットおよび記録ユニットはそれぞれ退避した位置にある状態が示されている。図３は記録ユニットが動作中である複合通信装置の筐体内部の構造を示す斜視図である。図４は記録ユニットが動作中である複合通信装置の筐体内部の構造を示す側部断面図である。図５は読取ユニットが動作中である複合通信装置の筐体内部の構造を示す斜視図である。図６は読取ユニットが動作中である複合通信装置の筐体内部の構造を示す側部断面図である。
【００２３】
これらの図において、１は印字を行うインクカートリッジ（記録ユニット）である。３は印字対向面となるプラテンである。３ａはプラテン３を補助するプラテン補助部材である。８は記録紙２を載置する記録紙トレイである。９は記録紙の分離時に記録紙２を記録紙分離ローラ１９側に押圧する圧板である。１０は読取時および記録時に搬送媒体（原稿、記録紙）を給送する給送ローラである。１１は原稿を保持する原稿トレイである。１３は原稿１２を分離する分離片である。１５は原稿の分離に必要な動力を与える原稿分離ローラである。１６は搬送媒体の給送時に給送ローラ１０の動力を補助するピンチローラである。１７は読取時および記録時に搬送媒体を装置の外部に排出する排紙ローラである。１８は搬送媒体の排出時に排紙ローラ１７の動力を補助する拍車である。１９は記録紙の分離に必要な動力を与える記録紙分離ローラである。２１は読取時および記録時に搬送媒体の有無を検知する搬送媒体検知センサ（ＰＥＳ：Ｐａｐｅｒ  Ｅｄｇｅ  Ｓｅｎｓｏｒ）である。
【００２４】
２２は読取動作を行うコンタクトイメージセンサ（ＣＳ）である。２３は原稿１２を案内する原稿下ガイド部材である。２４はシャーシである。２５は原稿読み取り時にコンタクトイメージセンサ２２によって読み取られる画像データの白色基準を決める白色基準規定部材である。２６はＣＳ２２および白色基準規定部材２５を保持するとともに、装置本体に対して主走査方向に設けられた回動軸２６ａを中心に回動自在に軸支されるコンタクトイメージセンサホルダ（ＣＳホルダ）である。読取ユニットはＣＳホルダ２６、ＣＳ２２および白色基準規定部材２５から構成される。ＣＳホルダ２６は、読取時、プラテン３上の印字部近傍の読取位置に回動し、ＣＳ２２によって共通搬送路を通過する原稿の画像が読み取られる。一方、記録時、ＣＳホルダ２６は、プラテン３上の読取位置から退避した読取待機位置に回動し、プラテン３上を主走査方向に移動自在な記録ユニット１によって共通搬送路を通過する記録紙に記録を行う。
【００２５】
２７は原稿検知センサ（ＤＳ：Ｄｏｃｕｍｅｎｔ  Ｓｅｎｓｏｒ）であり、原稿トレイ１１上の原稿の有無を検知する際に使用される。読取動作時、ＤＳ２７によって原稿が検知され、ＰＥＳ２１によって搬送媒体（原稿、記録紙）が共通搬送路上の所定位置を通過したか否かが検知される。尚、読取動作の開始要求があって、読取モード中、原稿を搬送する際、ＰＥＳ２１がオンにならず、ＤＳ２７がオンのままである場合、原稿の搬送に何らかの異常をきたしていると判断し、原稿詰まり（以下、紙ジャムという）のフラグが立てられる。
【００２６】
記録ユニット１は、インクタンクおよびインクヘッド（記録ヘッド）を内蔵しており、インクタンクに充填されたインクをインクヘッドに設けられたノズルから記録紙に吐出して画像データを記録する。また、記録ユニット１は、シャーシ２４の上部が「コ」の字形に形成されたガイドレール７と、シャーシ２４の両側板２４ａ、２４ｂに支持されたガイドシャフト６０とによって案内されるキャリッジ４に着脱自在に取り付けられており、キャリッジベルト６３に固定されたキャリッジ４がキャリッジモータによって駆動されることにより、主走査方向に移動する。
【００２７】
上記構成を有する複合通信装置の読取動作および記録動作を示す。まず、読取動作では、原稿トレイ１１に原稿１２がセットされていると、原稿分離ローラ１５近傍に存在する原稿検知センサ（ＤＳ）２７により原稿１２が検知される。
【００２８】
原稿検知センサ２７により原稿が検知されている状態で、ユーザが操作部１０６から読取動作開始の指示を行うと、読取動作中としての動作モードが記憶部１０７に記憶され、読取動作が開始される。ＣＰＵ１００の制御の下、原稿分離ローラ１５が駆動し、分離片１３から１枚の原稿１２が分離されると、読取位置まで給送される。
【００２９】
これと同時に、給送ローラ１０の動力を用いてＣＳホルダ２６が回動軸２６ａを中心にプラテン３側に回動すると、ＣＳ２２が読取位置に配置される。この状態で、給送ローラ１０が共通搬送路上の原稿１２を搬送し、ＰＥＳ２１によって原稿後端が検知されるまで、ＣＳ２２は原稿１２から画像情報を読み取っていく。
【００３０】
原稿１２からの画像情報の読み取りが終了すると、排紙ローラ１７により原稿は装置外部に排出される。ユーザにより複数枚の原稿の読取動作が指示されている場合、原稿排紙終了後、次の原稿１２を分離・給送し、同様に画像情報が読み取られていく。そして、ユーザから指示された枚数の画像情報の読み取りが終了すると、最後にＣＳホルダ２６をプラテン３上の読取位置から退避した読取待機位置に回動させ、読取動作を終了する。
【００３１】
つぎに、記録動作では、ユーザが操作部１０６から記録動作開始の指示を行った際、ＣＳホルダ２６が読取位置側に回動していると、記録動作の開始に先立ってＣＳホルダ２６を読取位置から読取待機位置まで退避させる。そして、記録動作中としての動作モードが記憶部１０７に記憶される。これにより、インクカートリッジ（記録ユニット）１はプラテン３上の印字部近傍を主走査方向に移動自在となり、共通搬送路を通過する記録紙２への記録が可能となる。
【００３２】
この後、記録紙トレイ８に載置され、圧板９によって押圧されている記録紙２のうち、ＣＰＵ１００の制御の下、１枚の記録紙が記録紙分離ローラ１９によって分離されると、プラテン３上の印字部（記録位置）まで給送される。
【００３３】
そして、給送ローラ１０によって搬送される記録紙２の後端がＰＥＳ２１により検知されるまで、記録ユニット１は記録紙２に画像情報を記録していく。画像情報を記録し終えると、排紙ローラ１７により記録紙２は装置外部に排出される。複数枚の記録動作を行う場合、排紙終了後に、次の記録紙の分離・給送、画像情報の記録、記録終了後の排紙といった処理が枚数分繰り返される。
【００３４】
ここで、記録ユニット１が記録動作を行わない場合、ホームポジション（記録待機）位置（図５の矢印Ａで示す位置）に待機し、記録ユニット１の記録ヘッドがインクの乾燥により目詰まりしないようキャピングされる。そして、記録動作を行う場合、キャピングを解除し、記録ユニット１を回復動作位置（図３の矢印Ｂで示す位置）に移動し、記録ヘッドの回復等の初期動作を行った後、記録動作を開始する。このような記録ユニット１の記録動作の他、操作部１０６からユーザの指示がなくても、他の記録動作（例えば、インクカートリッジ１の回復動作、インク残量検知動作など）が所定条件の下、実行される。また、記録動作を行うタイミングとしては、ＰＥＳ２１が記録紙を検知することにより、記録ユニット１が初期動作を開始する。
【００３５】
また、上記読取動作では、ユーザから指示された枚数の画像情報を読み取り終えると、読取動作終了処理として、ＣＳホルダ２６を読取位置から退避させている。また、上記記録動作でも、記録動作開始処理として、インクカートリッジ（記録ユニット）１がプラテン３上の印字部近傍を主走査方向に移動自在であるようにするため、ＣＳホルダ２６を読取位置から退避させている。さらに、コピー動作などでは、上記読取動作と上記記録動作が連続して行われるので、１度実行すれば済むＣＳ退避処理が２度行われることになるが、本実施形態では、必要以上のＣＳ退避処理は実行されないようになっている。
【００３６】
図７は複合通信装置の電気的構成を示すブロック図である。この複合通信装置は、ＣＰＵ１００、読取ユニットを含む読取部１０１、記録ユニットを含む記録部１０２、共通搬送路に沿って原稿および記録紙を搬送する搬送部１０３、ＰＥＳ２１およびＤＳ２７を含む搬送媒体検知部１０４、媒体搬送検知部１０４により搬送媒体が検知された場合、その旨を通知する他、装置の諸状態をユーザに通知する通知部１０５、ユーザによって操作され、各種情報を入力したり、装置の動作を指示する操作部１０６、電話回線を通じてハンドセット１２１による通話や画像情報の送受信を制御する通信制御部１０８、記憶部１０７等がバス１１１を介して接続された構成を有する。記憶部１０７には、読取動作中や記録動作中などの動作モードが記憶されると共に、装置の諸状態が記憶され、さらに読取ユニットにより読み取られた画像情報が記憶される。また、記憶部１０７内のＲＯＭには、後述する制御プログラムが格納されている。
【００３７】
図８および図９は読取終了後の読取ユニット退避処理手順を示すフローチャートである。この処理プログラムは記憶部１０７内のＲＯＭに格納されており、ＣＰＵ１００によって読取開始時に実行される。
【００３８】
まず、原稿分離ローラ１５近傍に存在する原稿検知センサ（ＤＳ）２７により原稿１２が検知された否かを判別する（ステップＳ１）。原稿１２が検知されない場合、ステップＳ１の処理を繰り返し、原稿１２が検知されるのを待つ。そして、原稿１２が検知された場合、操作部１０６からユーザによる読取動作の指示があったか否かを判別する（ステップＳ２）。
【００３９】
ユーザによる読取動作の指示がなかった場合、ステップＳ１の処理に戻る。一方、ユーザによる読取動作の指示があった場合、画像情報を読み取る原稿の枚数を読取枚数カウンタＲとして記憶部１０７に記憶する（ステップＳ３）。さらに、記憶部１０７に記憶された動作モードを読取動作中に更新する（ステップＳ４）。
【００４０】
そして、回動軸２６ａを中心にＣＳホルダ２６を回動させ、ＣＳ２２を共通搬送路上の読取位置に配置する（ステップＳ５）。さらに、記憶部１０７で管理されている読取ユニット退避要求フラグをＯＮにセットする（ステップＳ６）。
【００４１】
ＣＰＵ１００の制御の下、原稿分離ローラ１５の動力を用いて分離片１３で１枚の原稿を分離し（ステップＳ７）、読取位置まで原稿を搬送する（ステップＳ８）。読取位置まで原稿が搬送されると、ＣＳ２２によって１ライン分の画像情報を読み取る（ステップＳ９）。給送ローラ１０により１ライン分原稿をフィードする（ステップＳ１０）。この後、ＰＥＳ２１により原稿１２の後端が検知されたか否かを判別する（ステップＳ１１）。原稿１２の後端が検知されない場合、ステップＳ９、Ｓ１０の処理を繰り返す。そして、ＰＥＳ２１により原稿１２の後端が検知されると、排紙ローラ１７によって原稿１２を装置外部に排出する（ステップＳ１２）。
【００４２】
１枚の原稿を読み取り終えたので、記憶部１０７に記憶されている読取枚数カウンタＲから値１を減じる（ステップＳ１３）。読取枚数カウンタＲが値０であるか否かを判別する（ステップＳ１４）。値０でない場合、ステップＳ７の処理に戻って、次に読み取る原稿１２を原稿トレイ１１から分離し、同様の処理を行う。一方、ステップＳ１４で読取枚数カウンタＲが値０であった場合、読み取るべき原稿を全て読み取り終えたので、ＣＳホルダ２６を回動させてＣＳ２２を読取位置から退避させる（ステップＳ１５）。記憶部１０７で管理されている読取ユニット退避要求フラグをＯＦＦにし（ステップＳ１６）、本読取処理を終了する。
【００４３】
図１０および図１１は記録開始前の読取ユニット退避処理手順を示すフローチャートである。この処理プログラムは記憶部１０７内のＲＯＭに格納されており、ＣＰＵ１００によって記録開始時に実行される。まず、操作部１０６からユーザによる記録動作開始の指示があったか否かを判別する（ステップＳ２１）。記録動作開始の指示があった場合、記録ユニット１がプラテン３上の印字部近傍を主走査方向に移動自在であることを確実にするため、ＣＳホルダ２６を回動させてＣＳ２２を読取位置から退避させる（ステップＳ２２）。さらに、記憶部１０７で管理されている読取ユニット退避要求フラグをＯＦＦにする（ステップＳ２３）。
【００４４】
画像情報を記録する記録紙の枚数を記録枚数カウンタＷとして記憶部１０７に記憶し（ステップＳ２４）、記憶部１０７に記憶されている動作モードを記録動作中に更新する（ステップＳ２５）。
【００４５】
記録紙トレイ８にセットされている記録紙のうち、ＣＰＵ１００の制御の下、記録紙分離ローラ１９と圧板９により１枚の記録紙を分離し（ステップＳ２６）、記録位置まで記録紙を搬送する（ステップＳ２７）。記録位置まで記録紙が搬送されると、記録ユニット１により１ライン分の画像情報を記録する（ステップＳ２８）。そして、給送ローラ１０により１ライン分記録紙をフィードする（ステップＳ２９）。ＰＥＳ２１により記録紙の後端が検知された否かを判別する（ステップＳ３０）。記録紙の後端が検知されない場合、ステップＳ２８の処理に戻り、記録紙の後端が検知されるまでステップＳ２８、Ｓ２９の処理を繰り返す。
【００４６】
一方、ステップＳ３０で、ＰＥＳ２１により記録紙の後端が検知された場合、排紙ローラ１７により記録紙２を装置外部に排出する（ステップＳ３１）。１枚の記録紙を記録し終えたので、記憶部１０７に記憶されている記録枚数カウンタＷから値１を減じる（ステップＳ３２）。そして、記録枚数カウンタＷが値０であるか否かを判別する（ステップＳ３３）。値０でない場合、ステップＳ２６に戻り、次に記録する記録紙を記録紙トレイ８から分離する。一方、ステップＳ３３で記録枚数カウンタＷが値０である場合、記録すべき記録紙を全て記録し終えたので、本記録動作処理を終了する。
【００４７】
図１２、図１３および図１４はコピー動作処理手順を示すフローチャートである。この処理プログラムは記憶部１０７内のＲＯＭに格納されており、ＣＰＵ１００によってコピー動作開始時に実行される。本実施形態のコピー動作では、先に全てのコピー原稿を読み取り、記憶部１０７にその画像情報を蓄えた後、蓄えられた画像情報を記録紙に記録していく方式が採用されている。
【００４８】
まず、原稿分離ローラ１５近傍に存在する原稿検知センサ（ＤＳ）２７により原稿１２が検知されたか否かを判別する（ステップＳ５１）。原稿１２が検知されない場合、ステップＳ５１の処理を繰り返し、一方、原稿１２が検知されると、操作部１０６からユーザによるコピー動作の指示があったか否かを判別する（ステップＳ５２）。
【００４９】
コピー動作の指示がなかった場合、ステップＳ５１の処理に戻り、一方、コピー動作の指示があった場合、画像情報を読み取る原稿の枚数を読取枚数カウンタＲとし、また、画像情報を記録する記録紙の枚数を記録枚数カウンタＷとして記憶部１０７に記憶する（ステップＳ５３）。そして、記憶部１０７に記憶された動作モードを読取動作中に更新する（ステップＳ５４）。
【００５０】
ＣＳホルダ２６を回動させてＣＳ２２を読取位置に配置し（ステップＳ５５）、記憶部１０７に管理されている読取ユニット退避要求フラグをＯＮにする（ステップＳ５６）。ＣＰＵ１００の制御の下、原稿分離ローラ１５の動力を用いて１枚の原稿を分離片１３で分離し（ステップＳ５７）、読取位置まで原稿を搬送する（ステップＳ５８）。
【００５１】
読取位置まで原稿が搬送されると、ＣＳ２２により１ライン分の画像情報を読み取る（ステップＳ５９）。そして、給送ローラ１０により１ライン分原稿をフィードする（ステップＳ６０）。ＰＥＳ２１により原稿の後端が検知されたか否かを判別する（ステップＳ６１）。原稿の後端が検知されない場合、検知されるまで、ステップＳ５９、Ｓ６０の処理を繰り返す。一方、ステップＳ６１で、ＰＥＳ２１により原稿の後端が検知された場合、排紙ローラ１７により原稿を装置外部に排出する（ステップＳ６２）。１枚の原稿を読み取り終えると、記憶部１０７に記憶されている読取枚数カウンタＲから値１を減じる（ステップＳ６３）。
【００５２】
読取枚数カウンタＲが値０であるか否かを判別する（ステップＳ６４）。読取枚数カウンタＲが値０でない場合、ステップＳ５７に戻り、次に読み取る原稿を原稿トレイ１１から分離して同様の処理を繰り返す。一方、ステップＳ６４で読取枚数カウンタＲが値０である場合、読み取るべき原稿を全て読み取り終えたので、ＣＳホルダ２６を回動させてＣＳ２２を読取位置から読取待機位置に退避させる（ステップＳ６５）。そして、読取ユニット退避要求フラグをＯＦＦにする（ステップＳ６６）。これにより、コピー動作における読取動作が終了する。
【００５３】
続くコピー動作における記録処理では、まず、読取ユニット退避要求フラグがＯＮであるか否かを判別する（ステップＳ６７）。読取ユニット退避要求フラグがＯＮであった場合、ＣＳホルダ２６を回動させてＣＳ２２を読取位置から読取待機位置に退避させる（ステップＳ６８）。そして、読取ユニット退避要求フラグをＯＦＦにし（ステップＳ６９）、ステップＳ７０の処理に移行する。一方、ステップＳ６７で読取ユニット退避要求フラグがＯＮでない場合、そのままステップＳ７０の処理に移行する。
【００５４】
記憶部１０７に記憶されている動作モードを記録動作中に更新する（ステップＳ７０）。記録紙トレイ８にセットされている記録紙のうち、ＣＰＵ１００の制御の下、記録紙分離ローラ１９と圧板９により１枚の記録紙を分離し（ステップＳ７１）、記録位置まで記録紙を搬送する（ステップＳ７２）。記録位置まで記録紙が搬送されると、記録ユニット１により１ライン分の画像情報を記録する（ステップＳ７３）。そして、給送ローラ１０により１ライン分記録紙をフィードする（ステップＳ７４）。ＰＥＳ２１により記録紙の後端が検知された否かを判別する（ステップＳ７５）。記録紙の後端が検知されない場合、ステップＳ７３に戻り、記録紙の後端が検知されるまでステップＳ７３、Ｓ７４の処理を繰り返す。
【００５５】
一方、ステップＳ７５で、ＰＥＳ２１により記録紙の後端が検知された場合、排紙ローラ１７により記録紙２を装置外部に排出する（ステップＳ７６）。１枚の記録紙を記録し終えたので、記憶部１０７に記憶されている記録枚数カウンタＷから値１を減じる（ステップＳ７７）。そして、記録枚数カウンタＷが値０であるか否かを判別する（ステップＳ７８）。値０でない場合、ステップＳ７１に戻り、次に記録する記録紙を記録紙トレイ８から分離する。一方、ステップＳ７８で記録枚数カウンタＷが値０である場合、記録すべき記録紙を全て記録し終えたので、本コピー動作処理を終了する。
【００５６】
尚、ここでは、コピーの場合、読み取りユニットを読み取り位置から退避する処理を読み取り終了後のＳ６５で必ず行うようにしているが、これに限らず記録開始前のｓＳ６８で必ず行うようにしてもよい。この場合、Ｓ６３からＳ６７までの処理は不要である。
【００５７】
このように、本実施形態の複合通信装置によれば、原稿の搬送路と記録紙の搬送路が共通する共通搬送路上で、読取ユニットと記録ユニットの可動空間を共有させる場合、読取動作終了後、あるいは記録動作開始前に読取ユニットを読取位置から読取待機位置まで退避させるので、記録動作時、読取ユニットと記録ユニットの衝突を回避できる。
【００５８】
また、記録動作時、読取ユニットが共通搬送路上に配置されたままとなることは回避され、記録紙ジャムの発生を防止できる。さらに、読取ユニットと記録ユニットが共有する可動空間の排他制御に費やされる時間を短縮でき、読取・記録動作の遅延を抑制できる。
【００５９】
さらに、読取動作後に連続して記録動作が行われるコピー動作の場合、読取動作終了後のステップＳ６５、あるいは記録動作開始前のステップＳ６８のいずれかで、読取ユニットの退避処理は行われ、１回だけで済ますことができる。
【００６０】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００６１】
例えば、上記実施形態では、ファクシミリ通信機能および複写機能を有する複合通信装置に適用された場合を示したが、本発明は、原稿の読取動作と記録動作を行うことができるものであればよく、ファクシミリ装置、複写機などに限らず、種々の装置に適用可能である。
【００６２】
また、本発明の目的は、実施の形態の機能を実現するソフトウェアのプログラムコードを記録した記憶媒体を装置に供給し、その装置のコンピュータ（またはＣＰＵやＭＰＵ等）が記憶媒体に格納されたプログラムコードを読み出して実行することによっても達成される。
【００６３】
この場合、記憶媒体から読み出されたプログラムコード自体が前述した実施の形態の機能を実現することになり、本発明を構成することになる。
【００６４】
又、プログラムコードを供給するための記憶媒体としては、例えば、フロッピー（登録商標）ディスク、ハードディスク、光磁気ディスク、ＣＤ−ＲＯＭ、ＤＶＤ−ＲＯＭ、不揮発性のメモリカード、ＲＯＭ等を用いることができる。
【００６５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００６７】
【発明の効果】
本発明によれば、原稿の搬送路と記録紙の搬送路とが共通する共通搬送路上で読取手段と記録手段の可動空間を共有させることで、装置の小型化を図る際、読取手段および記録手段を衝突させることなく保護できる。また、記録動作時、読取手段が共通搬送路上に配置されたままとなることは回避され、記録紙ジャムの発生を防止できる。さらに、読取手段と記録手段が共有する可動空間の排他制御に費やされる時間を短縮でき、読取・記録動作の遅延を抑制できる。
【図面の簡単な説明】
【図１】実施の形態における複合通信装置の外観を示す図である。
【図２】複合通信装置の筐体内部の構造を示す斜視図である。
【図３】記録ユニットが動作中である複合通信装置の筐体内部の構造を示す斜視図である。
【図４】記録ユニットが動作中である複合通信装置の筐体内部の構造を示す側部断面図である。
【図５】読取ユニットが動作中である複合通信装置の筐体内部の構造を示す斜視図である。
【図６】読取ユニットが動作中である複合通信装置の筐体内部の構造を示す側部断面図である。
【図７】複合通信装置の電気的構成を示すブロック図である。
【図８】読取終了後の読取ユニット退避処理手順を示すフローチャートである。
【図９】図８につづく読取終了後の読取ユニット退避処理手順を示すフローチャートである。
【図１０】記録開始前の読取ユニット退避処理手順を示すフローチャートである。
【図１１】図１０につづく記録開始前の読取ユニット退避処理手順を示すフローチャートである。
【図１２】コピー動作処理手順を示すフローチャートである。
【図１３】図１２につづくコピー動作処理手順を示すフローチャートである。
【図１４】図１２および図１３につづくコピー動作処理手順を示すフローチャートである。
【図１５】従来の読取記録装置の構成を示す断面図である。
【符号の説明】
１  インクカートリッジ（記録ユニット）
２  記録紙
３  プラテン
４  キャリッジ
８  記録紙トレイ
１０  給送ローラ
１１  原稿トレイ
１２  原稿
１３  分離片
１５  原稿分離ローラ
１９  記録紙分離ローラ
２１  原稿後端センサ（ＰＥＳ）
２２  コンタクトイメージセンサ（ＣＳ）
２６  ＣＳホルダ
２７  原稿検知センサ（ＤＳ）
１００  ＣＰＵ
１０１  読取部
１０２  記録部
１０６  操作部
１０７  記憶部
【図１】
2004208063.tif 000003
【図２】
2004208063.tif 000004
【図３】
2004208063.tif 000005
【図４】
2004208063.tif 000006
【図５】
2004208063.tif 000007
【図６】
2004208063.tif 000008
【図７】
2004208063.tif 000009
【図８】
2004208063.tif 000010
【図９】
2004208063.tif 000011
【図１０】
2004208063.tif 000012
【図１１】
2004208063.tif 000013
【図１２】
2004208063.tif 000014
【図１３】
2004208063.tif 000015
【図１４】
2004208063.tif 000016
【図１５】
2004208063.tif 000017
【手続補正書】
【提出日】平成15年12月10日(2003.12.10)
【手続補正１】
【補正対象書類名】明細書
【補正対象項目名】請求項５
【補正方法】変更
【補正の内容】
【請求項５】
主走査方向の回動軸を備え、前記読取手段は、前記回動軸を中心に前記読取位置と前記読取待機位置とに回動自在であり、前記共通搬送路上の前記読取位置で前記原稿を読み取った後、前記共通搬送路上の前記読取位置から離間した前記読取待機位置に退避することを特徴とする請求項１乃至４のいずれかに記載の読取記録装置。
【手続補正２】
【補正対象書類名】明細書
【補正対象項目名】請求項６
【補正方法】変更
【補正の内容】
【請求項６】
前記記録手段は、前記共通搬送路上を主走査方向に移動自在であり、前記読取手段による読取動作中、前記記録手段は前記共通搬送路上の記録位置から退避した記録待機位置に留まることを特徴とする請求項１乃至５のいずれかに記載の読取記録装置。
【手続補正３】
【補正対象書類名】明細書
【補正対象項目名】００１０
【補正方法】変更
【補正の内容】
【００１０】
例えば、読取動作を行う際、読取ユニットは共通搬送路上の読取位置に配置されるが、このとき、搬送媒体検知センサが共通搬送路上の搬送媒体を検知すると、読取動作であるにもかかわらず、記録紙を検知したものと誤って、記録動作が開始されてしまい、読取ユニットと記録ユニットとが衝突してしまうおそれがあった。また、記録動作時、読取ユニットが共通搬送路上に配置されたままだと、記録紙ジャムが発生するおそれがあった。


【手続補正４】
【補正対象書類名】明細書
【補正対象項目名】００３５
【補正方法】変更
【補正の内容】
【００３５】
また、上記読取動作では、ユーザから指示された枚数の原稿の画像情報を読み取り終えると、読取動作終了処理として、ＣＳホルダ２６を読取位置から退避させている。また、上記記録動作でも、記録動作開始処理として、インクカートリッジ（記録ユニット）１がプラテン３上の印字部近傍を主走査方向に移動自在であるようにするため、ＣＳホルダ２６を読取位置から退避させている。さらに、コピー動作などでは、上記読取動作と上記記録動作が連続して行われるので、１度実行すれば済むＣＳ退避処理命令が２度発せられることになるが、本実施形態では、後述する処理により、必要以上のＣＳ退避処理は実行されないようになっている。


【手続補正５】
【補正対象書類名】明細書
【補正対象項目名】００３９
【補正方法】変更
【補正の内容】
【００３９】
ユーザによる読取動作の指示がなかった場合、ステップＳ１の処理に戻る。一方、ユーザによる読取動作の指示があった場合、画像情報を読み取る原稿の枚数を読取枚数カウンタＲとして記憶部１０７に記憶する（ステップＳ３）。さらに、記憶部１０７に記憶された動作モードを読取動作モードに更新する（ステップＳ４）。


【手続補正６】
【補正対象書類名】明細書
【補正対象項目名】００４４
【補正方法】変更
【補正の内容】
【００４４】
画像情報を記録する記録紙の枚数を記録枚数カウンタＷとして記憶部１０７に記憶し（ステップＳ２４）、記憶部１０７に記憶されている動作モードを記録動作モードに更新する（ステップＳ２５）。


【手続補正７】
【補正対象書類名】明細書
【補正対象項目名】００４９
【補正方法】変更
【補正の内容】
【００４９】
コピー動作の指示がなかった場合、ステップＳ５１の処理に戻り、一方、コピー動作の指示があった場合、画像情報を読み取る原稿の枚数を読取枚数カウンタＲとし、また、画像情報を記録する記録紙の枚数を記録枚数カウンタＷとして記憶部１０７に記憶する（ステップＳ５３）。そして、記憶部１０７に記憶された動作モードを読取動作モードに更新する（ステップＳ５４）。


【手続補正８】
【補正対象書類名】明細書
【補正対象項目名】００５４
【補正方法】変更
【補正の内容】
【００５４】
記憶部１０７に記憶されている動作モードを記録動作モードに更新する（ステップＳ７０）。記録紙トレイ８にセットされている記録紙のうち、ＣＰＵ１００の制御の下、記録紙分離ローラ１９と圧板９により１枚の記録紙を分離し（ステップＳ７１）、記録位置まで記録紙を搬送する（ステップＳ７２）。記録位置まで記録紙が搬送されると、記録ユニット１により１ライン分の画像情報を記録する（ステップＳ７３）。そして、給送ローラ１０により１ライン分記録紙をフィードする（ステップＳ７４）。ＰＥＳ２１により記録紙の後端が検知されたか否かを判別する（ステップＳ７５）。記録紙の後端が検知されない場合、ステップＳ７３に戻り、記録紙の後端が検知されるまでステップＳ７３、Ｓ７４の処理を繰り返す。


【手続補正９】
【補正対象書類名】明細書
【補正対象項目名】００５６
【補正方法】変更
【補正の内容】
【００５６】
尚、ここでは、コピーの場合、読み取りユニットを読み取り位置から退避する処理を読み取り終了後のＳ６５で必ず行うようにしているが、これに限らず記録開始前のＳ６８で必ず行うようにしてもよい。この場合、Ｓ６５からＳ６６までの処理は不要である。


【手続補正１０】
【補正対象書類名】明細書
【補正対象項目名】００５９
【補正方法】変更
【補正の内容】
【００５９】
さらに、読取動作後に連続して記録動作が行われるコピー動作の場合、読取動作終了後のステップＳ６５、あるいは記録動作開始前のステップＳ６８のいずれかで、読取ユニットの退避処理は行われ、読取ユニットの退避処理を１回だけで済ますことができる。


【手続補正１１】
【補正対象書類名】図面
【補正対象項目名】図８
【補正方法】変更
【補正の内容】
【図８】
2004208063.tif 000018
【手続補正１２】
【補正対象書類名】図面
【補正対象項目名】図１０
【補正方法】変更
【補正の内容】
【図１０】
2004208063.tif 000019
【手続補正１３】
【補正対象書類名】図面
【補正対象項目名】図１２
【補正方法】変更
【補正の内容】
【図１２】
2004208063.tif 000020
【手続補正１４】
【補正対象書類名】図面
【補正対象項目名】図１４
【補正方法】変更
【補正の内容】
【図１４】
2004208063.tif 000021